(57)【要約】【課題】電話会議の途中で、関係する決定事項だけを、関係する担当者に伝えること。【解決手段】電話システム２は、複数の電話機２００と、複数の電話機２００に接続される電話装置１００と、を備える。電話装置１００は、電話機２００間の通話中の通話音声を録音し、電話機２００の通話中に、通話中の電話機２００から録音音声が指定されると、通話中の電話機２００に対し、録音音声の送信先の電話機２００の指定を促し、通話中の電話機２００から指定された送信先の電話機２００を呼び出し、呼び出しに応答した電話機２００に対し、通話中の電話機２００から指定された録音音声を再生して送信する。【選択図】図４
2019192978.tif 000002
【特許請求の範囲】
【請求項１】
複数の電話機と、
前記複数の電話機に接続される電話装置と、を備え、
前記電話装置は、
前記電話機間の通話中の通話音声を録音し、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、通話中の電話機から指定された録音音声を再生して送信する、
電話システム。
【請求項２】
前記電話装置は、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定された録音音声を再生して送信する、
請求項１に記載の電話システム。
【請求項３】
前記電話装置は、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
請求項１又は２に記載の電話システム。
【請求項４】
前記電話装置は、
前記電話機間の通話中に、通話中の電話機から通話音声の録音開始が指示されると、通話音声の録音を開始し、通話中の電話機から通話音声の録音停止が指示されると、通話音声の録音を停止する、
請求項１から３のいずれか１項に記載の電話システム。
【請求項５】
前記電話装置は、
通話中の電話機から指定された送信先の電話機を呼び出したときに、該送信先の電話機が不在又は話し中である場合、該送信先の電話機の呼び出しを繰り返し行う、
請求項１から４のいずれか１項に記載の電話システム。
【請求項６】
複数の電話機に接続される電話装置であって、
前記電話機間の通話中の通話音声を録音する録音部と、
前記録音部により録音された録音音声を再生する再生部と、
処理部と、を備え、
前記処理部は、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、前記再生部に再生させた録音音声を送信する、
電話装置。
【請求項７】
前記処理部は、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定され前記再生部に再生させた録音音声を送信する、
請求項６に記載の電話装置。
【請求項８】
前記処理部は、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
請求項６又は７に記載の電話装置。
【請求項９】
複数の電話機に接続される電話装置の制御方法であって、
前記電話機間の通話中の通話音声を録音する録音ステップと、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信ステップと、
を含む、電話装置の制御方法。
【請求項１０】
複数の電話機に接続されるコンピュータに、
前記電話機間の通話中の通話音声を録音する録音手順と、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信手順と、
を実行させる、プログラム。
【発明の詳細な説明】
【技術分野】
【０００１】
本開示は、電話システム、電話装置及びその制御方法、並びにプログラムに関する。
【背景技術】
【０００２】
近年、例えば、企業等において、電話会議を利用する機会が増えている。また、最近は、電話会議等に適用可能な技術も数多く提案されている。
例えば、特許文献１には、通話中に、通話情報を録音し、録音した通話情報を通話中に再生して通話相手に送信する技術が記載されている。
【０００３】
また、特許文献２には、通話相手の音声を録音する一方で、通話相手の音声を音声認識し、認識結果が特定のキーワードに一致したことで、詐欺電話であると判断した場合、通話中の録音内容を再生して予め登録してある通報先に送信する技術が記載されている。
【０００４】
また、特許文献３には、利用者Ａと利用者Ｂ間の電話会議に、途中から参加しようとする利用者Ｃに対し、それまでに利用者Ａと利用者Ｂ間で通話した内容を録音したものを再生して送信し、電話会議の進行状況を把握させた上で、利用者Ａと利用者Ｂ間の電話会議に利用者Ｃを参加させる技術が記載されている。
【先行技術文献】
【特許文献】
【０００５】
【特許文献１】特開２００７−３１８５７０号公報
【特許文献２】特開２００７−０９６９６１号公報
【特許文献３】特開２００５−０３３２７０号公報
【発明の概要】
【発明が解決しようとする課題】
【０００６】
ところで、企業においては、プロジェクトを遂行する場合に、電話会議で方針を決定した上で、それぞれの担当者の作業をスタートさせるということがよくある。その場合、方針を決定するための電話会議の終了を、担当者は待つことになる。
【０００７】
また、企業においては、プロジェクトの遂行中に、懸案事項が生じた場合に、納期が迫っていても、その懸案事項について関係部門の合意が得られないと、担当者が作業を進められないということもよくある。その場合、関係部門の合意を得るための電話会議の終了を、担当者は待つことになる。
【０００８】
これらの場合、担当者は、電話会議の終了後に、電話会議に参加した上司から決定事項を聞いて、作業を進めることになり、電話会議の終了が待ち切れずにイライラすることがある。
【０００９】
そのため、担当者としては、上司が参加している電話会議の終了前に、自分に関係する議題の部分だけでも、その議題の決定事項を先に聞きたいという要求がある。また、電話会議に参加している上司としては、部下が関係している議題の決定事項だけでも、電話会議の終了前に、部下に伝え、作業を進めさせたいという要求がある。
【００１０】
しかし、特許文献１に記載の技術は、録音内容を聞かせることができるのは通話相手だけである。また、特許文献２に記載の技術は、録音内容を聞かせることができるのは予め登録してある通報先のみである。
【００１１】
また、特許文献３に記載の技術は、録音内容を利用者Ｃに聞かせることはできる。しかし、特許文献３に記載の技術は、録音内容を聞く利用者Ｃが利用者Ａと利用者Ｂ間の電話会議に参加するという動作が必要であり、電話会議に参加しない者に録音内容を聞かせることはできない。
【００１２】
従って、特許文献１〜３のいずれの技術においても、電話会議の途中で、関係する決定事項だけを、関係する担当者に伝えることができないという問題がある。
【００１３】
本開示の目的は、上述した課題を解決し、電話会議の途中で、関係する決定事項だけを、関係する担当者に伝えることができる電話システム、電話装置及びその制御方法、並びにプログラムを提供することにある。
【課題を解決するための手段】
【００１４】
一態様による電話システムは、
複数の電話機と、
前記複数の電話機に接続される電話装置と、を備え、
前記電話装置は、
前記電話機間の通話中の通話音声を録音し、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、通話中の電話機から指定された録音音声を再生して送信する。
【００１５】
一態様による電話装置は、
複数の電話機に接続される電話装置であって、
前記電話機間の通話中の通話音声を録音する録音部と、
前記録音部により録音された録音音声を再生する再生部と、
処理部と、を備え、
前記処理部は、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、前記再生部に再生させた録音音声を送信する。
【００１６】
一態様による電話装置の制御方法は、
複数の電話機に接続される電話装置の制御方法であって、
前記電話機間の通話中の通話音声を録音する録音ステップと、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信ステップと、を含む。
【００１７】
一態様によるプログラムは、
複数の電話機に接続されるコンピュータに、
前記電話機間の通話中の通話音声を録音する録音手順と、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信手順と、を実行させる。
【発明の効果】
【００１８】
上述の態様によれば、電話会議の途中で、関係する決定事項だけを、関係する担当者に伝えることができる電話システム、電話装置及びその制御方法、並びにプログラムを提供できるという効果が得られる。
【図面の簡単な説明】
【００１９】
【図１】実施の形態に係る電話システムの一構成例を示す図である。
【図２】実施の形態に係る電話システムの一動作例を示す図である。
【図３】実施の形態に係る電話システムの他の動作例を示す図である。
【図４】実施の形態を概念的に示した電話システムの一構成例を示す図である。
【発明を実施するための形態】
【００２０】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００２１】
最初に、図１を参照して、本実施の形態に係る電話システム１の一構成例について説明する。図１に示されるように、本実施の形態に係る電話システム１は、ボタン電話装置１０、ボタン電話機２０Ａ，２０Ｂ，２０Ｃ（以下、どのボタン電話機であるかを特定しない場合はボタン電話機２０と称す）、及び携帯電話機３０を備えている。なお、図１においては、３台のボタン電話機２０及び１台の携帯電話機３０が図示されているが、ボタン電話機及び携帯電話機の台数は、図１の台数に限定されるものではない。
【００２２】
ボタン電話装置１０は、メイン処理部１１、ボイスメール録音部１２、ボイスメール再生部１３、録音音声保存用メモリ１４、録音音声管理用メモリ１５を備えている。メイン処理部１１は、ボタン電話機２０Ａ，２０Ｂ，２０Ｃに接続されると共に、公衆電話網４０を介して携帯電話機３０に接続される。
【００２３】
ボイスメール録音部１２は、ボタン電話機２０間で通話中の通話音声やボタン電話機２０と携帯電話機３０間で通話中の通話音声を録音する。
ボイスメール再生部１３は、ボイスメール録音部１２により録音された通話音声の録音音声を再生する。
【００２４】
録音音声保存用メモリ１４は、ボイスメール録音部１２により録音された通話音声の録音音声を保存するメモリである。
録音音声管理用メモリ１５は、通話音声を録音音声保存用メモリ１４に保存された録音音声を管理するためのメモリである。
【００２５】
具体的には、録音音声管理用メモリ１５は、録音音声が保存された録音音声保存用メモリ１４のメモリ領域の先頭アドレス及び末尾アドレスを、それぞれ、録音開始アドレス及び録音終了アドレスとして保存する。また、録音音声管理用メモリ１５は、録音音声のうち、ボタン電話機２０から指定された、共有する録音音声が保存された録音音声保存用メモリ１４のメモリ領域の先頭アドレス及び末尾アドレスを、それぞれ、共有開始アドレス及び共有終了アドレスとして保存する。
【００２６】
メイン処理部１１は、ボタン電話機２０間又はボタン電話機２０と携帯電話機３０間での通話中に、通話中のボタン電話機２０の操作を監視し、監視した操作に従って、処理を行う。
【００２７】
具体的には、メイン処理部１１は、ボタン電話機２０間又はボタン電話機２０と携帯電話機３０間での通話中に、通話中のボタン電話機２０から、通話音声の録音が指示されると、ボイスメール録音部１２に対し、通話音声を録音するよう指示する。
【００２８】
また、メイン処理部１１は、ボタン電話機２０間又はボタン電話機２０と携帯電話機３０間での通話中に、通話中のボタン電話機２０から、共有する録音音声が指定されると、通話中のボタン電話機２０に対し、その録音音声の共有先（送信先）のボタン電話機２０の指定を促す。
【００２９】
そして、メイン処理部１１は、ボタン電話機２０間又はボタン電話機２０と携帯電話機３０間での通話中に、通話中のボタン電話機２０から、共有先（送信先）のボタン電話機２０が指定されると、ボイスメール再生部１３に対し、通話中のボタン電話機２０から指定された録音音声を再生するよう指示し、通話中のボタン電話機２０から指定された共有先（送信先）のボタン電話機２０を呼び出し、呼び出しに応答したボタン電話機２０に対し、ボイスメール再生部１３で再生された録音音声を送信する。
【００３０】
なお、ボタン電話機２０は、通話音声の録音の開始を指示する通話録音開始ボタンと、通話音声の録音の終了を指示する通話録音終了ボタンと、共有する録音音声を指定するためのボタン（共有開始ボタン及び共有終了ボタン）と、を備えているものとする。
【００３１】
続いて、図２を参照して、本実施の形態に係る電話システム１の一動作例について説明する。図２は、ボタン電話機２０Ａが、携帯電話機３０との通話中に、録音音声をボタン電話機２０Ｂと共有する例である。
【００３２】
メイン処理部１１は、携帯電話機３０とボタン電話機２０Ａとの通話中に、ボタン電話機２０Ａにおいて通話録音開始ボタンが押下されたことを検出すると、ボイスメール録音部１２に対し、通話音声の録音の開始を指示する。
【００３３】
ボイスメール録音部１２は、メイン処理部１１から通話音声の録音の開始指示を受けると、携帯電話機３０とボタン電話機２０Ａとの通話音声の録音音声保存用メモリ１４への保存（録音）を開始すると共に、通話音声を保存（録音）する録音音声保存用メモリ１４のメモリ領域の先頭アドレスを、録音開始アドレスとして録音音声管理用メモリ１５に保存する（ステップＳ１１）。
【００３４】
メイン処理部１１は、通話音声の保存（録音）中に、ボタン電話機２０Ａにおいて共有開始ボタンが押下されたことを検出すると、ボイスメール録音部１２に対し、録音音声の共有の開始を指示する。
【００３５】
ボイスメール録音部１２は、メイン処理部１１からの録音音声の共有の開始指示を受けると、共有する通話音声を保存（録音）する録音音声保存用メモリ１４のメモリ領域の先頭アドレスを、共有開始アドレスとして録音音声管理用メモリ１５に保存する（ステップＳ１２）。
【００３６】
メイン処理部１１は、通話音声の保存（録音）中に、ボタン電話機２０Ａにおいて共有終了ボタンが押下されたことを検出すると、ボイスメール録音部１２に対し、録音音声の共有の終了を指示する。
【００３７】
ボイスメール録音部１２は、メイン処理部１１からの録音音声の共有の終了指示を受けると、共有する通話音声を保存（録音）する録音音声保存用メモリ１４のメモリ領域の末尾アドレスを、共有終了アドレスとして録音音声管理用メモリ１５に保存する（ステップＳ１３）。
【００３８】
続いて、メイン処理部１１は、ボタン電話機２０Ａに対し、録音音声を共有する共有先（送信先）の指定を促す。
メイン処理部１１は、ボタン電話機２０Ａにおいて共有先（送信先）としてボタン電話機２０Ｂが指定されたこと（ここでは、ボタン電話機２０Ｂの内線番号の押下）を検出すると、ボタン電話機２０Ｂを呼び出す。
【００３９】
メイン処理部１１は、ボタン電話機２０Ｂにおいて応答操作が行われたことを検出すると、ボイスメール再生部１３に対し、共有する録音音声の再生の開始を指示する。
ボイスメール再生部１３は、メイン処理部１１からの、共有する録音音声の再生の開始指示を受けると、録音音声管理用メモリ１５を参照し、録音音声保存用メモリ１４の共有開始アドレス（ステップＳ１２で保存された共有開始アドレス）から録音音声の再生を開始する。これを受けて、メイン処理部１１は、ボイスメール再生部１３により再生された録音音声のボタン電話機２０Ｂへの送信を開始する。
【００４０】
ボイスメール再生部１３は、録音音声の再生が、共有終了アドレス（ステップＳ１３で保存された共有終了アドレス）にまで、達した時点で、録音音声の再生を終了し、その旨をメイン処理部１１に通知する。
メイン処理部１１は、ボイスメール再生部１３からの、共有する録音音声の再生の終了の通知を受けると、ボタン電話機２０Ｂへの録音音声の送信を終了する。
【００４１】
その後、メイン処理部１１は、ボタン電話機２０Ａにおいて通話録音終了ボタンが押下されたことを検出すると、ボイスメール録音部１２に対し、通話音声の録音の終了を指示する。
【００４２】
ボイスメール録音部１２は、メイン処理部１１から通話音声の録音の終了指示を受けると、携帯電話機３０とボタン電話機２０Ａとの通話音声の録音音声保存用メモリ１４への保存（録音）を終了すると共に、通話音声を保存（録音）する録音音声保存用メモリ１４のメモリ領域の末尾アドレスを、録音終了アドレスとして録音音声管理用メモリ１５に保存する（ステップＳ１４）。
【００４３】
なお、図２においては、ボタン電話機２０Ａが録音音声を共有する共有先（送信先）は、１台のボタン電話機２０Ｂのみであったが、共有先（送信先）は複数台のボタン電話機２０であっても良い。共有先（送信先）を複数台のボタン電話機２０とする場合、ボタン電話装置１０は、一斉呼び出し（ページング）機能と組み合わせて、複数台のボタン電話機２０を一斉に呼び出し、呼び出しに応答したボタン電話機２０に対し、共有する録音音声を送信しても良い。
【００４４】
また、ボタン電話装置１０は、共有先（送信先）のボタン電話機２０を呼び出しても、不在又は話し中であった場合は、繰り返し呼び出しを行っても良い。これにより、録音音声をより確実に共有することができる。
【００４５】
続いて、図３を参照して、本実施の形態に係る電話システム１の他の動作例について説明する。図３は、ボタン電話機２０Ａが、携帯電話機３０との通話中に、録音音声をボタン電話機２０Ｂと共有し、さらに、別の録音音声をボタン電話機２０Ｃと共有する例である。
【００４６】
メイン処理部１１は、携帯電話機３０とボタン電話機２０Ａとの通話中に、ボタン電話機２０Ａにおいて通話録音開始ボタンが押下されたことを検出すると、ボイスメール録音部１２に対し、通話音声の録音の開始を指示する。
【００４７】
ボイスメール録音部１２は、メイン処理部１１から通話音声の録音の開始指示を受けると、携帯電話機３０とボタン電話機２０Ａとの通話音声の録音音声保存用メモリ１４への保存（録音）を開始すると共に、録音開始アドレスを録音音声管理用メモリ１５に保存する（ステップＳ２１）。
【００４８】
メイン処理部１１は、通話音声の保存（録音）中に、ボタン電話機２０Ａにおいて共有開始ボタンが押下されたことを検出すると、ボイスメール録音部１２に対し、録音音声の共有の開始を指示する。
ボイスメール録音部１２は、メイン処理部１１からの録音音声の共有の開始指示を受けると、共有開始アドレスを録音音声管理用メモリ１５に保存する（ステップＳ２２）。
【００４９】
メイン処理部１１は、通話音声の保存（録音）中に、ボタン電話機２０Ａにおいて共有終了ボタンが押下されたことを検出すると、ボイスメール録音部１２に対し、録音音声の共有の終了を指示する。
ボイスメール録音部１２は、メイン処理部１１からの録音音声の共有の終了指示を受けると、共有終了アドレスを録音音声管理用メモリ１５に保存する（ステップＳ２３）。
【００５０】
続いて、メイン処理部１１は、ボタン電話機２０Ａに対し、録音音声を共有する共有先（送信先）の指定を促す。
メイン処理部１１は、ボタン電話機２０Ａにおいて共有先（送信先）としてボタン電話機２０Ｂが指定されたこと（ここでは、ボタン電話機２０Ｂの内線番号の押下）を検出すると、ボタン電話機２０Ｂを呼び出す。
【００５１】
メイン処理部１１は、ボタン電話機２０Ｂにおいて応答操作が行われたことを検出すると、ボイスメール再生部１３に対し、共有する録音音声の再生の開始を指示する。
ボイスメール再生部１３は、メイン処理部１１からの、共有する録音音声の再生の開始指示を受けると、録音音声管理用メモリ１５を参照し、録音音声保存用メモリ１４の共有開始アドレス（ステップＳ２２で保存された共有開始アドレス）から録音音声の再生を開始する。これを受けて、メイン処理部１１は、ボイスメール再生部１３により再生された録音音声のボタン電話機２０Ｂへの送信を開始する。
【００５２】
ボイスメール再生部１３は、録音音声の再生が、共有終了アドレス（ステップＳ２３で保存された共有終了アドレス）にまで、達した時点で、録音音声の再生を終了し、その旨をメイン処理部１１に通知する。
メイン処理部１１は、ボイスメール再生部１３からの、共有する録音音声の再生の終了の通知を受けると、ボタン電話機２０Ｂへの録音音声の送信を終了する。
【００５３】
メイン処理部１１は、通話音声の保存（録音）中に、ボタン電話機２０Ａにおいて共有開始ボタンが再度押下されたことを検出すると、ボイスメール録音部１２に対し、録音音声の共有の開始を指示する。
ボイスメール録音部１２は、メイン処理部１１からの録音音声の共有の開始指示を受けると、共有開始アドレスを録音音声管理用メモリ１５に保存する（ステップＳ２４）。
【００５４】
メイン処理部１１は、通話音声の保存（録音）中に、ボタン電話機２０Ａにおいて共有終了ボタンが押下されたことを検出すると、ボイスメール録音部１２に対し、録音音声の共有の終了を指示する。
ボイスメール録音部１２は、メイン処理部１１からの録音音声の共有の終了指示を受けると、共有終了アドレスを録音音声管理用メモリ１５に保存する（ステップＳ２５）。
【００５５】
続いて、メイン処理部１１は、ボタン電話機２０Ａに対し、録音音声を共有する共有先（送信先）の指定を促す。
メイン処理部１１は、ボタン電話機２０Ａにおいて共有先（送信先）としてボタン電話機２０Ｃが指定されたこと（ここでは、ボタン電話機２０Ｃの内線番号の押下）を検出すると、ボタン電話機２０Ｃを呼び出す。
【００５６】
メイン処理部１１は、ボタン電話機２０Ｃにおいて応答操作が行われたことを検出すると、ボイスメール再生部１３に対し、共有する録音音声の再生の開始を指示する。
ボイスメール再生部１３は、メイン処理部１１からの、共有する録音音声の再生の開始指示を受けると、録音音声管理用メモリ１５を参照し、録音音声保存用メモリ１４の共有開始アドレス（ステップＳ２４で保存された共有開始アドレス）から録音音声の再生を開始する。これを受けて、メイン処理部１１は、ボイスメール再生部１３により再生された録音音声のボタン電話機２０Ｃへの送信を開始する。
【００５７】
ボイスメール再生部１３は、録音音声の再生が、共有終了アドレス（ステップＳ２５で保存された共有終了アドレス）にまで、達した時点で、録音音声の再生を終了し、その旨をメイン処理部１１に通知する。
メイン処理部１１は、ボイスメール再生部１３からの、共有する録音音声の再生の終了の通知を受けると、ボタン電話機２０Ｃへの録音音声の送信を終了する。
【００５８】
その後、メイン処理部１１は、ボタン電話機２０Ａにおいて通話録音終了ボタンが押下されたことを検出すると、ボイスメール録音部１２に対し、通話音声の録音の終了を指示する。
【００５９】
ボイスメール録音部１２は、メイン処理部１１から通話音声の録音の終了指示を受けると、携帯電話機３０とボタン電話機２０Ａとの通話音声の録音音声保存用メモリ１４への保存（録音）を終了すると共に、録音終了アドレスを録音音声管理用メモリ１５に保存する（ステップＳ２６）。
【００６０】
上述したように本実施の形態によれば、ボタン電話装置１０は、通話中の通話音声を録音し、通話中のボタン電話機２０から、共有する録音音声が指定されると、通話中のボタン電話機２０に対し、その録音音声の送信先のボタン電話機２０の指定を促し、通話中のボタン電話機２０から指定された送信先のボタン電話機２０を呼び出し、呼び出しに応答したボタン電話機２０に対し、通話中のボタン電話機２０から指定された録音音声を再生して送信する。
【００６１】
そのため、例えば、ボタン電話機２０Ａは、携帯電話機３０との通話中に、携帯電話機３０との通話音声を録音した録音音声のうち、共有する録音音声を指定すると共にその録音音声の送信先としてボタン電話機２０Ｂを指定し、共有する録音音声のみをボタン電話機２０Ｂに送信することができる。
【００６２】
従って、例えば、ボタン電話機２０Ａは、携帯電話機３０との電話会議の通話中に、関係する決定事項だけを、関係する担当者（ボタン電話機２０Ｂ）に伝えることができる。
【００６３】
また、本実施の形態によれば、ボタン電話装置１０は、通話中のボタン電話機２０から、共有する別の録音音声が指定されると、通話中のボタン電話機２０に対し、その別の録音音声の送信先のボタン電話機２０の指定を促し、通話中のボタン電話機２０から指定された送信先のボタン電話機２０を呼び出し、呼び出しに応答したボタン電話機２０に対し、通話中のボタン電話機２０から指定された別の録音音声を再生して送信する。
【００６４】
従って、例えば、ボタン電話機２０Ａは、携帯電話機３０との電話会議の通話中に、関係する決定事項を、関係する部下（ボタン電話機２０Ｂ）に伝え、関係する別の決定事項を、関係する部下（ボタン電話機２０Ｃ）に伝えることもできる。
【００６５】
＜実施の形態の概念＞
続いて、図４を参照して、上述の実施の形態を概念的に示した電話システム２の一構成例について説明する。図４に示されるように、電話システム２は、電話装置１００及び複数台の電話機２００−１〜２００−Ｎ（Ｎは２以上の自然数。以下、どの電話機であるかを特定しない場合は電話機２００と称す）を備えている。電話装置１００は、ボタン電話装置１０に対応し、電話機２００は、主にボタン電話機２０に対応する。
【００６６】
電話装置１００は、処理部１１０、録音部１２０、及び再生部１３０を備えている。処理部１１０は、電話機２００−１〜２００−Ｎに接続される。
録音部１２０は、電話機２００間で通話中の通話音声を録音する。録音部１２０は、ボイスメール録音部１２に対応する。
再生部１３０は、録音部１２０により録音された通話音声の録音音声を再生する。再生部１３０は、ボイスメール再生部１３に対応する。
【００６７】
処理部１１０は、電話機２００間での通話中に、通話中の電話機２００の操作を監視し、監視した操作に従って、処理を行う。処理部１１０は、メイン処理部１１に対応する。
【００６８】
具体的には、処理部１１０は、電話機２００間での通話中に、通話中の電話機２００から、通話音声の録音が指示されると、録音部１２０に対し、通話音声を録音するよう指示する。
【００６９】
また、処理部１１０は、電話機２００間での通話中に、通話中の電話機２００から録音音声が指定されると、通話中の電話機２００に対し、その録音音声の送信先の電話機２００の指定を促す。
【００７０】
そして、処理部１１０は、電話機２００間での通話中に、通話中の電話機２００から、送信先の電話機２００が指定されると、再生部１３０に対し、通話中の電話機２００から指定された録音音声を再生するよう指示し、通話中の電話機２００から指定された送信先の電話機２００を呼び出し、呼び出しに応答した電話機２００に対し、再生部１３０で再生された録音音声を送信する。
【００７１】
以上、実施の形態を参照して本開示を説明したが、本開示は上記の実施の形態に限定されるものではない。本開示の構成や詳細には、本開示のスコープ内で当業者が理解し得る様々な変更をすることができる。
【００７２】
例えば、上記の実施の形態では、本開示のボタン電話装置又は電話装置をハードウェアの構成として説明したが、本開示は、これに限定されるものではない。本開示は、ボタン電話装置又は電話装置の任意の処理を、ＣＰＵ（Central Processing Unit）等のプロセッサが、メモリに格納されたコンピュータプログラムを読み出し実行することにより、実現することも可能である。
【００７３】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７４】
上記の実施の形態の一部又は全部は、以下の付記のようにも記載されうるが、以下には限られない。
（付記１）
複数の電話機と、
前記複数の電話機に接続される電話装置と、を備え、
前記電話装置は、
前記電話機間の通話中の通話音声を録音し、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、通話中の電話機から指定された録音音声を再生して送信する、
電話システム。
（付記２）
前記電話装置は、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定された録音音声を再生して送信する、
付記１に記載の電話システム。
（付記３）
前記電話装置は、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
付記１又は２に記載の電話システム。
（付記４）
前記電話装置は、
前記電話機間の通話中に、通話中の電話機から通話音声の録音開始が指示されると、通話音声の録音を開始し、通話中の電話機から通話音声の録音停止が指示されると、通話音声の録音を停止する、
付記１から３のいずれか１項に記載の電話システム。
（付記５）
前記電話装置は、
通話中の電話機から指定された送信先の電話機を呼び出したときに、該送信先の電話機が不在又は話し中である場合、該送信先の電話機の呼び出しを繰り返し行う、
付記１から４のいずれか１項に記載の電話システム。
（付記６）
複数の電話機に接続される電話装置であって、
前記電話機間の通話中の通話音声を録音する録音部と、
前記録音部により録音された録音音声を再生する再生部と、
処理部と、を備え、
前記処理部は、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、前記再生部に再生させた録音音声を送信する、
電話装置。
（付記７）
前記処理部は、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定され前記再生部に再生させた録音音声を送信する、
付記６に記載の電話装置。
（付記８）
前記処理部は、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
付記６又は７に記載の電話装置。
（付記９）
複数の電話機に接続される電話装置の制御方法であって、
前記電話機間の通話中の通話音声を録音する録音ステップと、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信ステップと、
を含む、電話装置の制御方法。
（付記１０）
前記送信ステップでは、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定された録音音声を再生して送信する、
付記９に記載の電話装置の制御方法。
（付記１１）
前記送信ステップでは、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
付記９又は１０に記載の電話装置の制御方法。
（付記１２）
複数の電話機に接続されるコンピュータに、
前記電話機間の通話中の通話音声を録音する録音手順と、
前記電話機間の通話中に、通話中の電話機から録音音声が指定されると、通話中の電話機に対し、該録音音声の送信先の電話機の指定を促し、通話中の電話機から指定された送信先の電話機を呼び出し、該呼び出しに応答した電話機に対し、録音音声を再生して送信する送信手順と、
を実行させる、プログラム。
（付記１３）
前記送信手順では、
前記電話機間の通話中に、通話中の電話機から、録音音声の送信先の電話機として複数の電話機が指定されると、通話中の電話機から指定された複数の送信先の電話機を一斉に呼び出し、該呼び出しに応答した電話機に対し、通話中の電話機から指定された録音音声を再生して送信する、
付記１２に記載のプログラム。
（付記１４）
前記送信手順では、
前記電話機間の通話中に、通話中の電話機から別の録音音声が指定されると、通話中の電話機に対し、該別の録音音声の送信先の電話機の指定を促し、通話中の電話機から指定された送信先の電話機を呼び出し、該呼び出しに応答した電話機に対し、通話中の電話機から指定された別の録音音声を再生して送信する、
付記１２又は１３に記載のプログラム。
【符号の説明】
【００７５】
１  電話システム
１０  ボタン電話装置
１１  メイン処理部
１２  ボイスメール録音部
１３  ボイスメール再生部
１４  録音音声保存用メモリ
１５  録音音声管理用メモリ
２０Ａ，２０Ｂ，２０Ｃ  ボタン電話機
３０  携帯電話機
２  電話システム
１００  電話装置
１１０  処理部
１２０  録音部
１３０  再生部
２００−１〜２００−Ｎ  電話機
【図１】
2019192978.tif 000003
【図２】
2019192978.tif 000004
【図３】
2019192978.tif 000005
【図４】
2019192978.tif 000006